(57)【要約】【課題】温熱リクライゼーションシステムとして、ルーム内全体の温熱作用に加えて、利用者が任意に且つ簡易に身体の一部温めて心地よくしたり痛みや凝りを和らげることを可能にするものを提供する。【解決手段】室内が所定温度に加温されるリクライゼーションルーム１と、リクライゼーションルーム１内を所定温度に加温する加熱手段（パネルヒーター１３）と、精製塩又は／及び天然塩の溶融成形物からなる塩ブロック３と、塩ブロック３を所定温度の加温状態で保持する温蔵庫４とを備え、温蔵庫４から取り出した加温状態の塩ブロック３…をリクライゼーションルーム１内において利用者Ｐが身体に当てがって使用するように構成されてなる。【選択図】図１
2010104532.tif 000002
【特許請求の範囲】
【請求項１】
室内が所定温度に加温されるリクライゼーションルームと、該リクライゼーションルーム内を所定温度に加温する加熱手段と、精製塩又は／及び天然塩の溶融成形物からなる塩ブロックと、この塩ブロックを所定温度の加温状態で保持する温蔵庫とを備え、
該温蔵庫から取り出した加温状態の前記塩ブロックを前記リクライゼーションルーム内において利用者が身体に当てがって使用するように構成されてなる温熱リクライゼーションシステム。
【請求項２】
前記リクライゼーションルームの少なくとも内周壁面及び床面の主要部に、精製塩又は／及び天然塩の溶融成形物からなる塩タイルが張設されてなる請求項１に記載の温熱リクライゼーションシステム。
【請求項３】
前記塩ブロックが腰掛け、枕、背当て、腹当て、足置きより選ばれる少なくとも一種の形態を有する請求項１又は２に記載の温熱リクライゼーションシステム。
【発明の詳細な説明】
【技術分野】
【０００１】
本発明は、サウナや岩盤浴、塩サウナ等の温熱効果によって症病の改善や健康増進を図るための温熱リクライゼーションシステムに関する。
【背景技術】
【０００２】
従来より、温熱効果を付与するリクライゼーション施設として、サウナ、岩盤浴、温泉等が広く利用されている。また近年では、塩の持つ遠赤外線効果や殺菌効果等に着目して、砂利状の岩塩を床に敷き詰めたり、塊状岩塩を積み上げて壁体を構成する（特許文献１）ことが行われている。一方、朝鮮半島では、内壁面に塩タイルを貼り付けた部屋にオンドルを組み合わせた、所謂塩サウナが古くから利用されている。
【特許文献１】特開２００５−９２５１４号公報
【発明の開示】
【発明が解決しようとする課題】
【０００３】
しかしながら、従来のリクライゼーション施設では、利用者は温熱作用を生じるルーム内で座るか寝そべって時間を過ごすだけであり、血行をよくしたり、汗をかいて新陳代謝を高めることはできても、身体の一部を格別に温めて心地よくしたり関節の痛みや筋肉の凝りを和らげたりすることができなかった。
【０００４】
本発明は、上述の情況に鑑み、温熱リクライゼーションシステムとして、ルーム内全体の温熱作用に加えて、利用者が任意に且つ簡易に身体の一部温めて心地よくしたり痛みや凝りを和らげることを可能にするものを提供することを目的としている。
【課題を解決するための手段】
【０００５】
上記目的を達成するための手段を図面の参照符号を付して示せば、請求項１の発明に係る温熱リクライゼーションシステムは、室内が所定温度に加温されるリクライゼーションルーム１と、該リクライゼーションルーム１内を所定温度に加温する加熱手段（パネルヒーター１３）と、精製塩又は／及び天然塩の溶融成形物からなる塩ブロック３と、この塩ブロック３を所定温度の加温状態で保持する温蔵庫４とを備え、該温蔵庫４から取り出した加温状態の塩ブロック３をリクライゼーションルーム１内において利用者Ｐが身体に当てがって使用するように構成されてなる。
【０００６】
請求項２の発明は、上記請求項１野温熱リクライゼーションシステムにおいて、前記リクライゼーションルーム１の少なくとも内周壁面及び床面の主要部に、精製塩又は／及び天然塩の溶融成形物からなる塩タイル５…が張設されてなる構成としている。
【０００７】
請求項３の発明は、上記請求項１又は２の温熱リクライゼーションシステムにおいて、塩ブロック３が腰掛け３Ａ、枕３Ｂ、背当て、腹当て（背当て兼腹当て３Ｃ）、足置き３Ｄより選ばれる少なくとも一種の形態を有する構成としている。
【発明の効果】
【０００８】
次に、本発明の効果について、図面の参照符号を付して説明する。まず、請求項１の発明に係る温熱リクライゼーションシステムでは、リクライゼーションルーム１の利用者Ｐは、温蔵庫４から加温状態の塩ブロック３を取り出し，この塩ブロック３をリクライゼーションルーム１内で身体の所望部位に当てがうことにより、該リクライゼーションルーム１内の雰囲気による身体全体の温熱作用を享受しつつ、塩ブロック３によって身体の部位を更に温めることができ、もって好みの部位に当てがって自身を気持ちよくしたり、関節の痛みや筋肉の凝り等を和らげたりすることができる。また、塩ブロックＰは、概してサイズ的に熱容量が大きいことに加え、リクライゼーションルーム１内の雰囲気温度も高いために加温状態から冷めにくく、比較的に長い時間（通常２時間程度）を温めに使用できると共に、塩溶融物であるために遠赤外線効果が得られ、また冷めても使用後に温蔵庫に戻して加温することで繰り返し使用できる上、それ自体に塩としての殺菌作用があるために常時清浄に保たれる。
【０００９】
請求項２の発明によれば、リクライゼーションルーム１の少なくとも内周壁面及び床面の主要部に、精製塩又は／及び天然塩の溶融成形物からなる塩タイル５…が張設されているため、該リクライゼーションルーム１内全体にも温まった塩タイル５…から遠赤外線が放射され、より高い温熱効果が得られると共に、塩ブロック５…の張設面が塩の殺菌作用によって清浄に保たれる。
【００１０】
請求項３の発明によれば、塩ブロック３が腰掛け３Ａ、枕３Ｂ、背当て、腹当て（背当て兼腹当て３Ｃ）、足置き３Ｄより選ばれる形態を有するから、利用者Ｐは該形態に対応する身体の部位に当てがうことで良好な使用感が得られる。
【発明を実施するための最良の形態】
【００１１】
以下に、本発明に係る温熱リクライゼーションシステムの実施形態について、図面を参照して具体的に説明する。図１は該温熱リクライゼーションシステムを適用したリクライゼーション施設の概略横断平面図、図２はリクライゼーションルームの縦断面図、図３は塩タイルを貼着した塩壁構造の正面図及び断面図、図４は温蔵庫の縦断側面図、図５〜図８は塩ブロックの構成例、をそれぞれ示す。
【００１２】
図１に示すように、このリクライゼーション施設は、平面視略矩形のリクライゼーションルーム１の出入口１ａの手前に設けられた小部屋２に、各々複数個の塩ブロック３…を収容した温蔵庫４，４が設置されており、リクライゼーションルーム１及び小部屋２の出入口１ａ，２ａにはドア６が取り付けられている。
【００１３】
図２に示すように、リクライゼーションルーム１は、鉄筋コンクリート構造の建物躯体１０の内側に、塩壁構造によって構成されるルーム本体１１が配置しており、該建物躯体１０とルーム本体１１との間に、当該ルーム本体１１の全周囲にわたる伝熱空間１２が形成されている。そして、ルーム本体１１の周壁部１１ａの下部側から床壁部１１ｂの全体にわたる領域に臨んで、該伝熱空間１２内にパネルヒーター１３が配設され、該パネルヒーター１３と建物躯体１０の内面との間に断熱材１４が介在されている。また、伝熱空間１２内には、取付フレーム１５に支持された赤青緑三原色の多数のＬＥＤ光源７…が、ルーム本体１１の全周囲にわたって配列されると共に、要所に音響設備１６…が設置されている。１７はＬＥＤ光源７…及び音響設備１６…の稼働を司る制御装置、１８はＬＥＤ光源４…の発光パターンと音響設備１６…の音響パターンを設定する光音響設定装置である。
【００１４】
ルーム本体１１の全体つまり周壁部１１ａ及び床壁部１１ｂと天井壁部１１ｃは、ポリカーボネート等の無色透明プラスチックからなる壁基体１９の内面側に、精製塩又は天然塩の溶融成形物からなる多数枚の塩タイル５…を固着した構造となっている。
【００１５】
図３（ａ）（ｂ）に示すように、各塩タイル５は、表面５ａがムラ状の凹凸をなす正六角形の厚板状であり、周囲の隣接する塩タイル５…との間に一定幅の目地８を介在した状態で、浅い凹面状をなす背面５ｂ側において両面接着材９を介して壁基体１９に接着固定されている。なお、目地４は、精製塩又は天然塩の微粉末に水を加えて混和した塩ペーストを用い、この塩ペーストを目地間隙に充填して乾燥固化させている。
【００１６】
図４に示すように、温蔵庫４は、縦長の箱枠４ａの開放した前面に観音開きのガラス扉４１…が嵌装され、内部空間４０に複数段の棚板４２…が配置している。そして、箱枠４ａの内面側全体に断熱材層４３が設けてあり、内側後部に該断熱材層４３に接してパネルヒーター４４が垂直に配置すると共に、該パネルヒーター４４の前に間隔をおいて、孔開きプレート４５が棚板４２…の後縁に接して配置している。
【００１７】
この温蔵庫４においては、棚板４２…上に、いずれも精製塩又は／及び天然塩の溶融成形物からなる腰掛け３Ａ、枕３Ｂ、背当て兼用腹当て３Ｃ、足置き３Ｄ等の複数個の塩ブロック３…を載置して収容し、パネルヒーター４４の加熱によって一定の加温状態で保存するようになっている。なお、内部空間４０の空気は孔開きプレート４５の多数の透孔４５ａ…を通して全体に流通するため、該温蔵庫４内は略均等な温度に保たれる。
【００１８】
上記構成のリクライゼーション施設では、リクライゼーションルーム１内がパネルヒーター１３…の作動によって３５〜４５℃程度の加温雰囲気に設定されると共に、温蔵庫４内もパネルヒーター４４の作動によって４０〜５０℃程度の範囲で且つリクライゼーションルーム１内よりも幾分高い温度に設定される。なお、リクライゼーションルーム１内の湿度も図示省略した加除湿機構によって３０〜５０％程度に保持される。しかして、利用者は、まずリクライゼーションルーム１の手前の小部屋２において、温蔵庫４から加温状態の所望の塩ブロック３を取り出し、この塩ブロック３を持ってリクライゼーションルーム１に入り、好きな姿勢で座ったり寝そべったりして所定時間を過ごすが、その際に塩ブロック３を身体の所望位置に当てがって利用する。
【００１９】
すなわち、例えば腰掛け３Ａの場合、図５（ａ）に示すように分厚い丸形の座布団のような形で、上面側に人の臀部に対応する凹凸部３１が形成されているから、同図（ｂ）のように床面に置いた状態で利用者Ｐが腰を下ろして座ることにより、臀部Ｈが凹凸部３１にフィットする。一方、枕３Ｂの場合、図６（ａ）に示すように中央がやや括れた平面視略アレイ形の厚板状で、上面側中央部や浅い凹部３２をなしているから、同図（ｂ）のように床面に置いた状態で寝そべった利用者Ｐが頭を載せることにより、後頭部Ｋが凹部３２にフィットする。また、背当て兼用腹当て３Ｃでは、図７（ａ）（ｂ）に示すように厚板状の上面側が中央に高い緩やかな山形３３をなすから、利用者Ｐは背当てとして山形３３が背部Ｍから腰部Ｎにかけて当たるように仰向けに寝そべったり、腹当てとして山形３３に腹部を載せて俯けに寝そべるようにすればよい。更に、足置き３Ｄでは、図８（ａ）の如くやや斜めになった前面側に一対の凹部３４，３４が設けてあるから、同図（ｂ）のように利用者Ｐは足裏が凹部３４，３４に嵌まるように足Ｆを載せればよい。
【００２０】
従って、利用者Ｐは、リクライゼーションルーム１内の加温雰囲気によって身体全体に温熱作用を受けながら、塩ブロック３（３Ａ〜３Ｄ）の蓄熱によって当てがった身体の一部から温められて非常に心地よくなり、当てがった部分に痛みや凝りがある場合にはそれが緩和される。しかも、この温熱作用にはルーム本体１１の内面全体の塩タイル５…と塩ブロック３の塩溶融物による遠赤外線効果が加わって身体の深部まで温めら、血液の循環が良くなって新陳代謝も促進されると共に、塩から発生するマイナスイオンによって自律神経の乱れが整えられ、細胞の活性化によって各種身体機能が高められ、疾患のある人は症状が改善され、健康な人は疲労の回復が早くなる。なお、塩ブロック３（３Ａ〜３Ｄ）は、サイズ的に熱容量が大きいことに加え、リクライゼーションルーム１内の雰囲気温度も高いために加温状態から冷めにくく、比較的に長い時間（通常２時間程度）を温めに使用できる。
【００２１】
一方、使用後の冷めた塩ブロック３（３Ａ〜３Ｄ）は、利用者Ｐがリクライゼーションルーム１を出る際に、温蔵庫４に戻して加温することで繰り返し使用できる。しかも、塩ブロック３（３Ａ〜３Ｄ）には塩としての殺菌作用があるため、格別に殺菌消毒を行わなくても常時清浄に保たれるという利点もある。
【００２２】
また、この実施形態のリクライゼーションルーム１においてはＬＥＤ光源７…を音響設備１６…による音響に連動して様々なパターン及び色合いで発光させることにより、乳白半透明の塩タイル５…を通してルーム本体１１の室内側表面に幻想的な光映像を表出させると同時に、音響によって穏やかな雰囲気を醸し出し、もって利用者Ｐに塩サウナとしての温熱作用及び清浄化作用に加え、心理的にも落ち着くような癒し効果を付与できる。
【００２３】
なお、本発明の温熱リクライゼーションシステムは、通常のサウナや岩盤浴のように、リクライゼーションルームが温熱効果のみで映像効果や音響効果の付与機能を有さない場合にも支障なく適用できる。また、塩ブロック３は、例示した腰掛け３Ａ、枕３Ｂ、背当て兼用腹当て３Ｃ、足置き３Ｄ等とは異なる種々の形態に設定でき、背当てと腹当てを異なる形態にしてもよい。更に、温蔵庫４についても、実施形態以外の種々の構造及び加熱機構を採用できる。
【図面の簡単な説明】
【００２４】
【図１】本発明の温熱リクライゼーションシステムを適用したリクライゼーション施設の概略横断平面図である。
【図２】同施設のリクライゼーションルームの縦断面図である。
【図３】同リクライゼーションルームのルーム本体を構成する塩壁構造を示し、（ａ）はの正面図、（ｂ）は断面図である。
【図４】同施設の温蔵庫の縦断側面図である。
【図５】塩ブロックからなる腰掛けを示し、（ａ）は斜視図、（ｂ）は使用状態の縦断側面図である。
【図６】塩ブロックからなる枕を示し、（ａ）は斜視図、（ｂ）は使用状態の縦断側面図である。
【図７】塩ブロックからなる背当て兼用腹当てを示し、（ａ）は斜視図、（ｂ）は使用状態の側面図である。
【図８】塩ブロックからなる足置きを示し、（ａ）は斜視図、（ｂ）は使用状態の縦断側面図である。
【符号の説明】
【００２５】
１      リクライゼーションルーム
１１    ルーム本体
２      小部屋
３      塩ブロック
３Ａ    腰掛け
３Ｂ    枕
３Ｃ    背当て兼腹当て
３Ｄ    足置き
４      温蔵庫
５      塩タイル
１３    パネルヒーター（加熱手段）
Ｐ      利用者
【図１】
2010104532.tif 000003
【図２】
2010104532.tif 000004
【図３】
2010104532.tif 000005
【図４】
2010104532.tif 000006
【図５】
2010104532.tif 000007
【図６】
2010104532.tif 000008
【図７】
2010104532.tif 000009
【図８】
2010104532.tif 000010